Podtech/llm-jp-corpus-v4-ja_patent huggingface dataset:
(57)【要約】      （修正有）【課題】ブレスレット機能付きマッサージ具を提供する。【解決手段】軟質材からなるカールコードの両端を、一個の球体を介してリング状に連結形成した。カールコード１の端の一つに接着剤を付け、アクリル等の球体２の取り付け穴３の中間まで入れ、もう一つの端に接着剤を付けて反対側に入れて接合すればカールコード１と球体２がリング状になる。掌と手の甲の親指と人差し指の中間部にはめ、強めのマッサージを求める場合は掌の方に球体２の部分を持って行き、弱めのマッサージを求める場合は掌の方にカールコード１の部分を持って行き、転がすようにマッサージする。【選択図】図１
2010029612.tif 000002
【特許請求の範囲】
【請求項１】
軟質材からなるカールコードの両端を、一個の球体を介してリング状に連結形成したことを特徴とするブレスレット機能付きマッサージ具。
【発明の詳細な説明】
【技術分野】
【０００１】  本発明は、ブレスレット機能付きマッサージ具に関するものである。
【背景技術】
【０００２】  従来、マッサージ具は大きいものや重いものでありコンパクトなものも見受けられるがブレスレットになっているのは、マッサージ具ではなくファッション具であったり磁気やゲルマニウム等を使用した健康具が知られている。
【発明の開示】
【発明が解決しようとする課題】
【０００３】それには次のような問題点があった。
（イ）マッサージ具には、大きくて重くて携帯に不向きなものや、携帯出来るものもあ  ったが探さずにすぐ使用出来るブレスレット機能付きのものがなかった。
（ロ）ブレスレットに飾りで複数球体が付いているものもあったが、マッサージ具とし  て使用してみたが複数の細いゴムで繋がっており、少しずつ球体の間隔が開いてきて安  定せずマッサージ効果が期待できない。また、ゴムが少しずつ切れてきて外に出てきた  りして簡単に切れた。
本発明は、以上の問題点を解決するためのものである。
【課題を解決するための手段】
【０００４】  軟質材からなるカールコードの両端を、一個の球体を介してリング状に連結形成したことを特徴とするブレスレット機能付きマッサージ具。
【発明の効果】
【０００５】  携帯に便利なブレスレット機能付きで、特に軟質塩化ビニルのカールコードは伸縮自在で簡単に手首にはめられ手首にはめておけば、いつでもどこでも掌や腕の方に移動して、テレビを見ながら、お酒を飲みながら、飛行機や電車やバスの中や色んな待ち時間に探さずに手首から移動してマッサージが出来る。なおかつ強弱の調整が球体の移動で簡単に出来て、水に強くて洗っていつでも綺麗に保てて、丈夫で安価で環境にも優しい。
【発明を実施するための最良の形態】
【０００６】  以下、本発明の実施の形態を説明する。
カールコード（１）の端の一つに接着剤を付け、アクリル等の球体（２）の取り付け穴（３）の中間まで入れ、もう一つの端に接着剤を付けて反対側に入れて接合すればカールコード（１）と球体（２）が図１のようにリング状になる。
本発明は、以上の構成よりなっている。
本発明を使用するときは、
（イ）図３のように掌と手の甲の親指と人差し指の中間部にはめる。
（ロ）強めのマッサージを求める場合は掌の方に球体の部分を持って行く。
（ハ）弱めのマッサージを求める場合は掌の方にカールコードの部分を持って行く。
（ニ）マッサージする場所に掌のマッサージ具を持って行き、転がしやすい手首の方向      から薬指の方向に往復に繰り返し転がす。
（ホ）親指の付け根の方にカールコードを一巻すれば掌から外れにくくなる。
（ヘ）腕をマッサージする場合は、マッサージ具をそのまま手首からその場所に移動し      て直接転がしてもよい。
（ト）指先をマッサージする場合は指先で球体部をつまんで転がす。
【実施例１】  また、図２のように球体（２）を複数設ければ一度に複数の効果が期待できるがあまり多数だと弱めのマッサージをする場合に球体（２）が邪魔になるので、せいぜい２〜３個位にして、カールコード（１）の両端の結合はストレートのコード（５）にした方が球体（２）（２）の幅が安定する。
【実施例２】  また、図４のようにカールコード（１）の両端を半球体（６）の取り付け穴（３）にそれぞれ通してナイロン帯（７）等で接合して、半球体（６）の合体時固定部内側（８）は取り付け穴（３）の方に向かって緩やかに少しずつ大きくなって、球体時の直径は合体時固定部外側（９）の内径と同じにする。そうすれば合体させた半球体（６）は固定されて球体になりカールコード（１）と球体が図１と同じようにリング状になる。この場合も実施例１のように球体を複数設けてもよい。
【実施例３】  また、図５のように、実施例２の半球体（６）の合体時固定部を無くして、半球体凹部（１０）と半球体凸部（１１）を設けて取り付け穴（３）にそれぞれカールコードを通してナイロン帯（７）等で接合して、凹部と凸部を合体させればカールコードと球体が図１と同じようにリング状になる。この場合も実施例１のように球体を複数設けてもよい。
【実施例４】  また、球体（２）や半球体（６）に磁気やゲルマニウムやマイナスイオン加工を施せば普段は健康器具のブレスレットとして使用出来る。
【図面の簡単な説明】
【０００７】
【図１】  本発明の斜視図
【図２】  本発明の他の実施例の斜視図
【図３】  本発明の使用図
【図４】  本発明の他の実施例の合体前の斜視図
【図５】  本発明の他の実施例の拡大断面図
【符号の説明】
【０００８】      １  カールコード
２  球体
３  取り付け穴
４  掌
５  ストレートのコード
６  半球体
７  ナイロン帯
８  合体時固定部内側
９  合体時固定部外側
１０  半球体凹部
１１  半球体凸部
【図１】
2010029612.tif 000003
【図２】
2010029612.tif 000004
【図３】
2010029612.tif 000005
【図４】
2010029612.tif 000006
【図５】
2010029612.tif 000007
(57)【要約】【課題】  本発明は、靴内部特に足の指先の蒸れをなくすため、羽付きモーターによって風を提供する。【解決手段】  靴本体の足指上部をカットしその部分等を覆い隠すカバーを用いるこのカバーには、羽付きモーターと電池セットケースが取り付けられ足の指が羽に当たらないように羽付きモーターカバーでガードされなおこの本体カバーは、シリコンボンド等により靴本体に取り付けられカバーの風止めによって靴に密着し風を靴内部に送り込む構成である。【選択図】図６
2010029614.tif 000002
【特許請求の範囲】
【請求項１】
靴の足指に風を送るための電池を有する羽付きモーターを備えかつ靴の先端部分等を覆うカバーである。
【発明の詳細な説明】
【技術分野】
【０００１】  本考案は、靴内部における足の指に風を直接羽付きモーターであてる羽付きモーターに関するものである。
【背景技術】
【０００２】  現在靴は、多様なものが出ていますが形状じたい思い切ったものがなく靴の蒸れに対して風を入れたいと考えました。
【発明の開示】
【発明が解決しようとする課題】
【０００３】  靴の蒸れは特に指先の部分が多くこの部分に直接風を当てて蒸れを防ぐ本考案は、以上の問題点をで解決するものである。
【課題を解決するための手段】
【０００４】  靴の蒸れ特に指先部分は、靴本体の指先部分上部をカットしその指先部分を包み込む形でカーバーをつけなおカバーに羽付きモーターをもうける。
本発明は、以上の構成よりなる羽付きモーターである。
【発明の効果】
【０００５】  本発明を使用することにより指先の蒸れをなくすことができる。
【発明を実施するための最良の形態】
【０００６】  以下、本発明の実施の形態を説明する。
（イ）１は、カバー本体、使用する靴のカット部分をそっくり覆い隠しなお表面では風取り入れ開口・電池ケース−蓋スイッチと電池切れランプ・靴本体とカバー密閉の風止めを有する。
（ロ）ａは、羽付きモーターで本体カバーｂ裏面に固定する。
（ハ）ｄは、電池ケース−で電池スイッチと電池切れランプからなる。
（ニ）ｆは、羽付きモーターカバーで強度と風を通すつくりになる。
本発明は以上の構成からなる。
【実施例】本発明を使用する場合は、靴本体の足の指部分上部をカットするそこに１のカバー本体に、電池ケース・羽付きモーター・モーターカバーをセットしシリコンボンド等により靴本体に固定しスイッチにより使用する。
【図面の簡単な説明】
【０００７】
【図１】カバー本体の斜面図
【図２】電池ケース−の平面図
【図３】羽付きモーターの断面図
【図４】羽付きモーターカバーの平面図
【図５】靴本体足指上部カットの斜面図
【図６】モーターシューズ取り付け斜面図
【図７】靴本体斜面図
【符号の説明】
【０００８】ａ      モーター
ａ−１  羽
ｂ      モーター固定部
ｃ      風取り入れ開口部
ｄ      電池ケース
ｄ−１  電池ケース蓋
ｄ−２  スイッチ
ｄ−３  電池切れランプ
ｅ      風止め
ｆ      羽付きモーターカバー
【図１】
2010029614.tif 000003
【図２】
2010029614.tif 000004
【図３】
2010029614.tif 000005
【図４】
2010029614.tif 000006
【図５】
2010029614.tif 000007
【図６】
2010029614.tif 000008
【図７】
2010029614.tif 000009
(57)【要約】      （修正有）【課題】一つの直線に平行する三つ以上のたがいに交わる平面と、この直線に交わる平行な二平面とでくぎられる立方体の采を鮮明にするために、一つの直線に平行する三つ以上のたがいに交わる平面の縁とこの直線に交わる平行な二平面の縁に塗料で着色した色彩を提供する。【解決手段】一つの直線（１）に平行する三つ以上のたがいに交わる平面部（ａ）（ｂ）（ｃ）（ｄ）と、この直線（１）に交わる二平面部（ｅ）（ｆ）とでくぎられる立方体の采で、一つの直線（１）に平行する三つ以上のたがいに交わる平面部（ａ）（ｂ）（ｃ）（ｄ）の縁部（１）（２）（３）（４）とこの直線（１）に交わる平行な二平面部（ｅ）（ｆ）の縁部（５）（６）（１１）（１２）（７）（８）（９）（１０）に塗料で着色した色彩を設け、立方体の采の多面を鮮明にすることを特徴とする。【選択図】図１
2010029653.tif 000002
【特許請求の範囲】
【請求項１】
一つの直線（１）に平行する三つ以上のたがいに交わる平面部（ａ）（ｂ）（ｃ）（ｄ）とこの直線（１）に交わる平行な二平面部（ｅ）（ｆ）とでくぎられる立方体の采で、一つの直線（１）に平行する三つ以上のたがいに交わる平面部（ａ）（ｂ）（ｃ）（ｄ）の縁部（１）（２）（３）（４）と、この直線（１）に交わる平行な二平面部（ｅ）（ｆ）の縁部（５）（６）（１１）（１２）（７）（８）（９）（１０）に塗料で着色した色彩を設けた立方体の采。
【請求項２】
一つの直線（１）に平行する三つ以上のたがいに交わる平面部（ａ）（ｂ）（ｃ）（ｄ）の縁部（１）（２）（３）（４）と、この直線（１）に交わる平行な二平面部（ｅ）（ｆ）の縁部（５）（６）（１１）（１２）（７）（８）（９）（１０）に塗料で着色した色彩の素材は限定しない請求項１記載の立方体の采。
【請求項３】
一つの直線（１）に平行する三つ以上のたがいに交わる平面部（ａ）（ｂ）（ｃ）（ｄ）の縁部（１）（２）（３）（４）と、この直線（１）に交わる平行な二平面（ｅ）（ｆ）の縁部（５）（６）（１１）（１２）（７）（８）（９）（１０）に塗料で着色した色彩の長短は限定しない請求項１記載の立方体の采。
【請求項４】
一つの直線（１）に平行する三つ以上のたがいに交わる平面部（ａ）（ｂ）（ｃ）（ｄ）の縁部（１）（２）（３）（４）と、この直線（１）に交わる平行な二平面部（ｅ）（ｆ）の縁部（５）（６）（１１）（１２）（７）（８）（９）（１０）に塗料で着色した色彩の幅は限定しない請求項１記載の立方体の采。
【請求項５】
一つの直線（１）に平行する三つ以上のたがいに交わる平面部（ａ）（ｂ）（ｃ）（ｄ）の縁部（１）（２）（３）（４）と、この直線（１）に交わる平行な二平面部（ｅ）（ｆ）の縁部（５）（６）（１１）（１２）（７）（８）（９）（１０）に塗料で着色した色彩を設けた立方体の采の素材は限定しない請求項１記載の立方体の采。
【請求項６】
一つの直線（１）に平行する三つ以上のたがいに交わる平面部（ａ）（ｂ）（ｃ）（ｄ）の縁部（１）（２）（３）（４）と、この直線（１）に交わる平行な二平面部（ｅ）（ｆ）の縁部（５）（６）（１１）（１２）（７）（８）（９）（１０）に塗料で着色した色彩を設けた立方体の采の大きさは限定しない請求項１記載の立方体の采。
【発明の詳細な説明】
【技術分野】
【０００１】  この発明は、一つの直線に平行する三つ以上のたがいに交わる平面の縁と、この直線に交わる平行な二平面の縁に塗料で着色した色彩を設け、多面を鮮明にする立方体で縁の色彩つき采に関するものである。
【背景技術】
【０００２】  従来、一つの直線に平行する三つ以上のたがいに交わる平面と、この直線に交わる平行な二平面とでくぎられる立方体の采は、一つの直線に平行する三つ以上のたがいに交わる平面の縁と、この直線に交わる平行な二平面の縁には塗料で着色した色彩がなかった。
【発明の開示】
【発明が解決しようとする課題】
【０００３】  これは、次のような欠点があった。
従来、一つの直線に平行する三つ以上のたがいに交わる平面と、この直線に交わる平行な二平面とでくぎられる立方体の采は、一つの直線に平行する三つ以上のたがいに交わる平面の縁と、この直線に交わる平面の縁には塗料で着色した色彩がなかったので多面が鮮明にならなかった。
本発明は、以上の欠点をなくするためになされたものである。
【発明が解決するための手段】
【０００４】  一つの直線（１）に平行する三つ以上のたがいに交わる平面部（ａ）（ｂ）（ｃ）（ｄ）と、この直線（１）に交わる平行な二平面部（ｅ）（ｆ）とでくぎられる立方体の采に、一つの直線（１）に平行する三つ以上のたがいに交わる平面部（ａ）（ｂ）（ｃ）（ｄ）の縁部（１）（２）（３）（４）と、この直線に交わる平行な二平面（ｅ）（ｆ）の縁部（５）（６）（１１）（１２）（７）（８）（９）（１０）に塗料で着色した色彩を設ける。
本発明は以上の構成よりなる縁の色彩つき采である。
【発明の効果】
【０００５】立方体の采は、一つの直線に平行する三つ以上のたがいに交わる平面部の縁部と、この直線に交わる平行な二平面部の縁部に、塗料で着色した色彩を設けることにより多面を鮮明にできるので便利である。
【発明の実施をするための最良の形態】
【０００６】  以下、本発明を実施するための最良の形態について説明する。
立方体の采で一つの直線（１）に平行する三つ以上のたがいに交わる平面部（ａ）（ｂ）（ｃ）（ｄ）の縁部（１）（２）（３）（４）と、この直線（１）に交わる平行な二平面部（ｅ）（ｆ）の縁部（５）（６）（１１）（１２）（７）（８）（９）（１０）に塗料で着色した色彩を設ける。
本発明は、以上の構造でこれを使用するときは多面を鮮明にすることができる。
【図面の簡単な説明】
【０００７】
【図１】本発明の斜視図である。
【図２】本発明の平行図である。
【図３】本発明の斜視図である。
【符号の説明】  １  直線
１  縁部
２  縁部
３  縁部
４  縁部
５  縁部
６  縁部
７  縁部
８  縁部
９  縁部
１０縁部
１１縁部
１２縁部
ａ  平面部
ｂ  平面部
ｃ  平面部
ｄ  平面部
ｅ  平面部
ｆ  平面部
【図１】
2010029653.tif 000003
【図２】
2010029653.tif 000004
【図３】
2010029653.tif 000005
(57)【要約】      （修正有）【課題】娯楽性に優れているとともに、容易に模様の加工を施すことが可能な模様付きグラスを提供する。【解決手段】内表面にサンドブラスト加工により模様１２が施されていることを特徴とする模様付きグラス１０である。外表面に前記内表面に施された模様１２と関連する模様１４が施されており、前記内表面に施された模様１２は、グラス１０内に液体１６が充填された際に外側からは認識できないように調整されている。【選択図】図２
2010029672.tif 000002
【特許請求の範囲】
【請求項１】
内表面にサンドブラスト加工により模様が施されたことを特徴とする模様付きグラス。
【請求項２】
外表面に、前記内表面に施された模様と関連する模様が施されていることを特徴とする請求項１記載の模様付きグラス。
【請求項３】
前記外表面に施された模様は、ガラスエナメル焼付け加工によって施されていることを特徴とする請求項２記載の模様付きグラス。
【請求項４】
前記内表面に施された模様は、グラス内に液体が充填された際に外側からは認識できないか、あるいはほとんど認識できない程度に薄くなるように調整されていることを特徴とする請求項１〜３のいずれか１項に記載の模様付きグラス。
【発明の詳細な説明】
【技術分野】
【０００１】
本発明は、充填された液体の量に応じて模様が変化する模様付きグラスに関する。
【背景技術】
【０００２】
従来から、飲料を食する際にその飲料が注がれるものとして、ガラス製のコップであるグラスが利用されている。このグラスには、様々な形状、様々な模様が施されており、娯楽性を高めるために、模様の施し方にも様々な工夫がなされている。例えば、ガラスの外表面に濡れ性の異なる膜層を部分的に設け、膜層を設けた部分と膜層を設けない部分とで絵柄などの模様を構成することによって、グラスに冷たい飲料が注がれると模様が白く浮き出てくるように構成されたグラスがある（特許文献１）。
【先行技術文献】
【特許文献】
【０００３】
【特許文献１】特開２０００−５１０４４号公報
【発明の概要】
【発明が解決しようとする課題】
【０００４】
この特許文献１に開示されているものは、娯楽性に優れているものの、濡れ性の異なる複数の膜層を設けるなど加工処理が煩雑であるという問題がある。
【０００５】
そこで、本発明は、娯楽性に優れているとともに、容易に模様の加工を施すことが可能な模様付きグラスを提供することを目的とする。
【課題を解決するための手段】
【０００６】
以上の目的を達成するため、本発明は、内表面にサンドブラスト加工により模様が施されていることを特徴とする模様付きグラスである。
【０００７】
本発明に係る模様付きグラスは、内表面にサンドブラスト加工による模様が施されているので、グラス内に飲料を注ぐと、サンドブラスト加工による模様が濡れて、外側からは認識できないか、あるいはほとんど認識できない程度に薄くなる。このグラスに飲料を注ぐと内面の模様が認識できないか、あるいはほとんど認識できなくなるので、意外性が生じる。また、グラスに注がれた飲料が飲まれて少なくなってくると、徐々に模様が浮き出てくることとなる。よって、娯楽性に優れている。また、サンドブラスト加工によって模様が施されるので、容易に模様の加工を行うことができる。
【０００８】
本発明に係る模様付きグラスにおいて、外表面に前記内表面に施された模様と関連する模様が施されていることが好ましく、このように内表面の模様を外表面と関連させることによって、娯楽性を向上させることができる。また、内表面の模様と外表面の模様とが関連した一対の図柄となり、物語性のある絵とすることもできる。
【０００９】
本発明に係る模様付きグラスにおける外表面の模様は、ガラスエナメルを用いて印刷焼付けをすることにより施されることが好ましい。外表面の模様もサンドブラスト加工として、内表面と外表面に模様を加工した場合、飲料を入れる際に外表面も濡れることで、内表面と外表面の模様がともに認識できないか、あるいはほとんど認識できなくなってしまう。ここで外表面の模様をガラスエナメル焼きつけ加工とすることにより、外表面の模様が消えることはない。また、エナメルに色彩をつけてコントラストを強調することができ、視覚効果をあげることもできる。
【００１０】
また、本発明に係る模様付きグラスにおいて、前記内表面に施された模様は、グラス内に液体が充填された際に外側からは認識できないように調整されていることが好ましく、このような調整は、サンドブラスト加工を粗く施すことによって行うことができる。
【００１１】
本発明に係る模様付きグラスにおいて、サンドブラスト加工は、既知の方法によって施すことができる。例えば、模様を施す部分を薄くするか、あるいは切り抜いた状態で、樹脂でグラスの内外表面全域をコーティングし、高圧エアーによってガラスビーズなどの微粒子をグラスの内外表面全域を吹き付けることによって行うことができる。
【発明の効果】
【００１２】
以上のように、本発明に係るグラスによれば、娯楽性に優れているとともに、容易に模様の加工を施すことが可能な模様付きグラスを提供することができる。
【図面の簡単な説明】
【００１３】
【図１】本発明に係る模様付きグラスの実施例の正面斜視図である。
【図２】本実施例に係る模様付きグラスの動作を示す正面斜視図である。
【発明を実施するための形態】
【００１４】
次に、本発明に係る模様付きグラスの実施例について図面に基づいて説明する。図１は、本実施例に係る模様付きグラスの正面斜視図である。本実施例に係る模様付きグラス１０の内表面１０Ａに内側模様１２は既知の方法のサンドブラスト加工によって施されている。また、その外表面１０Ｂに外側模様１４は既知の方法のガラスエナメル焼きつけ加工によって施されている。本実施例に係る模様付きグラスにおいて、これら内側模様１２と外側模様１４は、関連している。すなわち、内側模様１２として、男性が描写されており、外側模様１４として、その男性と向かい合った女性が描写されている。また、内側模様１２は、飲料がグラス１０に注がれると、外側から認識することができないか、あるいは薄くほとんど認識できないように、サンドブラスト加工を粗くすることによって調整されている。
【００１５】
次に、本実施例に係る模様付きグラスの動作を図２に基づいて説明する。先ず、図２（ａ）に示すように、内側模様１２が隠れる程度、飲料１６がグラス１０内に注がれると、内側模様１２は、外側からは、認識できなくなる。そして、グラス１０内の飲料１６が減ってくると、図２（ｂ）に示すように内側模様１２の上方部分が徐々に外側から認識できるようになってくる。最後に、飲料１６がなくなると、図２（ｃ）に示すように内側模様１２が外側から完全に認識できるようになる。
【符号の説明】
【００１６】
１０  模様付きグラス
１２  内側模様
１４  外側模様
１６  飲料
【図１】
2010029672.tif 000003
【図２】
2010029672.tif 000004
(57)【要約】【課題】ストーマ造設患者にとって最も不便を感じている尿又は便が溜まったときの重みを軽減し、フランジの剥離を防ぐために袋状のポシェットを提供する【解決手段】パウチに尿又は便が溜まってもポシェットを腰紐で支えるのでフランジが剥れる心配を解消する。パウチが直接腹部に触れる不快感をなくする。むき出しの状態よりポシェットに収納することにより見た目にもすっきりする。安心して外出ができて行動範囲も広がる【選択図】図１
2010029623.tif 000002
【特許請求の範囲】
【請求項１】
本発明はストーマ造設部のパウチをポシェットの裏側より収納し、ストーマ特有のブラつきや重みを軽減するものである。表側の取り出し口より、パウチに溜まった尿又は便を簡単に廃棄できるように考案した。またストーマ造設により、パウチ等が直接腹部に触れる不快感を解消、袋状のポシェットに納めることにより見ためにもすっきりする。左右どちらかのストーマ造設部にも応用できるものである
【発明の詳細な説明】
【技術分野】
【０００１】本発明はストーマ造設患者のパウチに尿又は便が溜まり、その重みでストーマ部に接着したフランジの剥離を防ぎ、重みを支えるために考案したものである
【背景技術】
【０００２】従来はストーマ部分をカバーする部類の物はなかった
【発明の開示】
【発明が解決しようとする課題】
【０００３】従来は本発明と同類の物はなく、ストーマ造設患者の最も不便を感じていたことを解決するために考案したものである
【課題を解決するための手段】
【０００４】本発明品の使用により、ストーマ造設部にかかる負担を解消、２のパウチの取り出し口を設けるもとにより、溜まった尿又は便を簡単に廃棄できる。パウチをポシェットに納めることで外出時も安心感が得られる
【発明の効果】
【０００５】本発明品の使用によりフランジの剥離を防ぎ、従来はむき出しの状態であったものを袋で覆うことにより、見た目にもすっきりする。また本発明品を装着したまま、パウチに溜まった尿又は便を袋の打ち合わせ部分から簡単に廃棄することができる
以下発明の形態について説明する
（イ）ストーマ造設部及びパウチを袋状の中に収納
（ロ）腰紐に袋を縫いつけて固定するのでストーマ造設部に負担がかからない
【実施例１】
【０００６】ストーマ造設部を覆い腰紐で固定。袋状になっており下部の打ち合わせ部の取り出し口よりパウチに溜まった尿又は便を廃棄できる
【図面の簡単な説明】
【０００７】
【図１】本発明品の正面図である
【図２】本発明品の裏面図である
【符号の説明】
【０００８】１  腰紐
２  パウチの取り出し口
３  本体裏面にあるパウチ収納口
【図１】
2010029623.tif 000003
【図２】
2010029623.tif 000004
(57)【要約】【課題】この発明は、安全に又簡単に布や名札等を取り付ける滑車を設けた止め具を提供する。【解決手段】針先をＵ字型に折り返し、その針先が内側になるように全体を環状にして、他端部に溝のある滑車を設けた止め具である。【選択図】図１
2010029621.tif 000002
【特許請求の範囲】
【請求項１】
針先をＵ字型に折り返し、全体を環状にして他端部に滑車を設けた止め具。
【発明の詳細な説明】
【技術分野】
【０００１】この発明は、安全にしかも簡単に布や名札等を取り付ける、滑車を設けた止め具に関するものである。
【背景技術】
【０００２】従来、布や名札等の取り付けには安全ピンを使用していた。
【発明の開示】
【発明が解決しようとする課題】
【０００３】そのために、次のような問題点が生じていた。
（イ）安全ピンの取り付け操作時、及び取り外し操作時において、鋭利な針先が常に露出していたので、特に幼い子供達には危険性が高かった。
（ロ）安全ピンはコイルバネの力を利用して開閉していたが、指の力の弱い年配者には、かなり力が必要で取り付けにくかった。
（ハ）安全ピンは開閉の為に力を作用させる方向は針の軸に直角方向で、指でつまむようにしていたが、ピンに回転力が生じやすく危険だった。
本発明は、以上の問題点を解決したものである。
【課題を解決するための手段】
【０００４】針先をＵ字型に折り返し、その針先が内側になるよう全体を環状にして、他端部に溝のある滑車を設け、針先を滑車の溝の中におさめた。以上の構成からなる滑車を設けた止め具である。
【発明の効果】
【０００５】（イ）したがって、鋭利な針先が常に滑車の溝の中におさまっているので取り付け時、使用時、及び取り外し時においても常時危険がなくなった。
（ロ）回転する恐れのある不安定な操作や、力を使うピンの開閉操作が無くなり、針の軸線方向に力を入れるだけなので、布や名札等の取り付けと取り外しが安全に尚且つ簡単にできるようになった。
【発明を実施するための最良の形態】
【０００６】以下、本発明の実施形態について説明をする。
（イ）針先▲１▼をＵ字型に折り返す。
（ロ）その針先▲１▼が内側になるように針全体を環状にする。
（ハ）他端部に溝のある滑車▲２▼を設ける。
（ニ）針先▲１▼を滑車▲２▼の溝の中におさめる。
本発明は以上の構成からなる滑車を設けた止め具である。以下、使用法について説明をする。
取り付け方法については先ず、片手で布をつまみ、針先▲１▼がおさまっている滑車▲２▼の溝との隙間の部分に挿入する。その時、滑車▲２▼が回転しながら布を巻き込むように中間曲がり部▲４▼を針軸方向に押すか、あるいは先端曲がり部▲３▼を引くと弱い力でも簡単に挿入できる。布を取り付けたい長さまで挿入したら今度は反対に、中間曲がり部▲４▼を引くか、先端曲がり部▲３▼を押すことで針先が布にささる仕組みである。中間直線部▲５▼まで滑らせれば取り付け完了である。
取り外し方法については、布を針先▲１▼と滑車▲２▼の溝との隙間の部分まで滑らせる。滑車▲２▼が回転しながら布を巻き込むように中間曲がり部▲４▼を針軸方向に押すか、あるいは先端曲がり部▲３▼を引くと弱い力でも簡単に抜ける。
安全原理としては、故意にこの止め具を破壊させようとする力の方向と強さ以外は全て滑車▲２▼の回転軸を中心とした回転モーメントになる設計になっている。
【図面の簡単な説明】
【０００７】
【図１】  本発明の斜視図である
【図２】  本発明の正面図である
【符号の説明】
【０００８】  １は針先
２は滑車
３は先端曲がり部
４は中間曲がり部
５は中間直線部
【図１】
2010029621.tif 000003
【図２】
2010029621.tif 000004
(57)【要約】【課題】水中で水が耳穴に入らないようにする耳栓は耳穴を完全に塞いでしまうため、水中から出て、耳栓を装着したままでは、外部の音を通常の聴覚で認識するのが難しい。【解決手段】耳栓の長手方向に平行に貫通穴を設け、装着時に水と接触する穴の表面を撥水効果のある目の細かい網状の蓋で覆い被せて耳栓に固定することで、水中では蓋表面の撥水作用で貫通穴に水の流入を防ぎ、水中から出ると、貫通穴を通して外界の音を通常の聴覚で認識することができる。【選択図】図１
2010029695.tif 000002
【特許請求の範囲】
【請求項１】
耳栓本体の長手方向に中空円筒状の貫通穴を設け、装着時に水と接触する貫通穴の入口を撥水加工もしくは撥水材を使用した網状の蓋を被せて固定することで、水中では水の浸入を防ぎ、水中から出ると、網状の蓋の表面の撥水作用によって付着水を撥水して、装着したままでも、通常の聴覚機能を有することができる撥水機能付耳栓装置。
【請求項２】
請求項1の網部分の面積を極端に狭めてピンホールにてなる撥水機能付耳栓装置。
【請求項３】
網状の蓋は取り外しができるセパレート型仕様と一体型仕様がある。
【発明の詳細な説明】
【技術分野】
【０００１】
本発明は、水中で使用する耳栓にかかるものである。
【背景技術】
【０００２】
現在、水中で水が耳穴に入らないようにする耳栓は耳穴を完全に塞いでしまうため、水中から出て、耳栓を装着したままでは、外部の音を通常の聴覚で認識するのが難しい。
【０００３】
この改善策として、耳栓本体の長手方向に中空円筒状の貫通穴を設け、装着時に水と接触する穴の表面を撥水効果のある目の細かい網状の蓋で覆い被せて耳栓に固定することで、水中では蓋表面の撥水作用で貫通穴に水の流入を防ぎ、水中から出ると、網部に付着した水は撥水作用ではじき飛ばされ、貫通穴を通して外界の音を通常の聴覚で認識することができる。
【発明の開示】
【発明が解決しようとする課題】
【０００４】
如何にして、水中用耳栓を装着したままでも通常の聴覚機能を維持できるかということである。
【課題を解決するための手段】
【０００５】
耳栓の長手方向に平行に、装着しても通常の聴覚機能を維持できる直径５ミリ前後の穴をあける。装着した時、水と接触する穴の入口を撥水加工した目の細かい網状の蓋で覆い被せて耳栓に固定する構造にする。水中では、蓋表面の撥水作用によって水の流入を防ぐことができ、水中から出ると蓋の網の目の水を跳ねのけることができる。
【発明の効果】
【０００６】
現状で市販されている耳栓は、装着したままでは会話や外界の音を正常に認識することができないが、当耳栓は、通常の聴覚機能で音を認識することができる。
【発明を実施するための最良の形態】
【０００７】
本発明の耳栓の材質は基本的に従来のものでよく、耳栓本体の中央部に音を導き入れる貫通穴を設け、その貫通穴を網状の隙間のある蓋で覆い隠すため、貫通穴の壁面と蓋の材質は、若干の力を加えても形状を維持できる軽量の材質が良く、プラスチック等の材質が選択される。また、本体と蓋を一体にして構造の簡単な取り外しのできない一体型仕様、蓋の取り外しが可能な洗浄しやすいセパレート型仕様のどちらも選択することができる。
【実施例１】
【０００８】
図1は、本体と蓋が接合している一体型耳栓の図である。
【実施例２】
【０００９】
図2は、本体と蓋が切り離せるセパレート型耳栓の図である。
【００１０】
図3は、一体型耳栓の長手方向に断裁した図である。
【産業上の利用可能性】
【００１１】
現在の耳の中に水が流れ込むのを防ぐだけの耳栓に替わって、広く需要があると期待される。
【図面の簡単な説明】
【００１２】
【図１】一体型耳栓の斜め正面図 (実施例１）
【図２】セパレート型耳栓の斜め正面図（実施例2）
【図３】一体型耳栓の断面図（実施例3）
【符号の説明】
【００１３】
1.      
耳栓
2.      
貫通穴
3.      
本体
4.      
蓋
5.      
網
【図１】
2010029695.tif 000003
【図２】
2010029695.tif 000004
【図３】
2010029695.tif 000005
(57)【要約】【課題】掛布団と首部肩部との隙間対策としての襟ぐりをカットした掛布団は、防寒となる部分が狭いため睡眠中の動きには不十分であった。  本発明は、掛布団と、首部肩部との隙間対策としての、防寒用掛布団襟カバーを提供する。【解決手段】襟カバーの肌に接する内側には、垂れ部を設けるように両脇部を縫う。外側の縁には掛布団カバーへの装着のための道具を設ける。掛布団カバーの装着位置は、両脇部より中央にかけ引き下げるようにし、装着のための道具を設ける。【選択図】図１
2010029610.tif 000002
【特許請求の範囲】
【請求項１】
襟カバーの肌に接する内側には、垂れ部を設けるように両脇部を縫い、外側の縁には、掛布団カバーへの装着の為の道具を設け、掛布団カバーの装着位置は、両脇部より中央にかけ引き下げる様にし、装着の為の道具を設けた防寒用掛布団襟カバー。
【発明の詳細な説明】
【技術分野】
【０００１】  本発明は、掛布団を使用した際に出来る首部肩部との隙間の寒さを防ぐ為の防寒用掛布団襟カバーに関するものである。
【背景技術】
【０００２】  従来の掛布団と首部肩部との隙間に生じる隙間対策としての布団は、襟ぐりをカットしたものである。
【発明の開示】
【発明が解決しようとする課題】
【０００３】  掛布団と首部肩部との隙間対策としての襟ぐりをカットした掛布団は、防寒となる部分が狭いため、睡眠中の動きには不十分であった。本発明は以上の問題点を解決するためになされたものである。
【課題を解決するための手段】
【０００４】  襟カバーの肌に接する内側には、垂れ部を設ける様に両脇部を縫う。外側の縁には、掛布団カバーへの装着の為の道具を設ける。
掛布団カバーの装着位置は、両脇部より中央にかけ引き下げるようにし、装着のための道具を設ける。
以上の構成によりなる防寒掛布団襟カバー。
【発明の効果】
【０００５】  掛布団と首部肩部に出来る隙間を襟カバーの垂れ部が幅広く覆うことにより、寝ている間の動きにも対応できる。襟カバーの両脇部を縫うことで垂れ部が内側に包み込むようになり、暖かい空気が逃げにくく保温効果が増す。また、垂れ部の中央部分を引き下げることで、首周りのたぶつきを解消する。
【本発明を実施するための最良の形態】
【０００６】  以下、本発明の実施の形態を説明する。
（イ）襟カバー（１）の肌に接する内側には垂れ部（３）を設けるように両脇部（２）を縫う。
（ロ）襟カバー（１）の外側の縁に掛布団カバー（５）への装着道具凸（４）として、マジックテープ・ファスナー・紐・ホック・ボタンのいずれかを設ける。
（ハ）掛布団カバー（５）の装着位置は、脇部（２）より中央にかけて引き下げるようにし、襟カバー（１）に使用した同じ装着道具凹（６）を設ける。
本発明は以上のような構造である。
本発明を使用するときは、掛布団カバー（５）に襟カバー（１）を垂れ部（３）が掛布団の内側に来るよう装着させる。
就寝時、垂れ部（３）を両肩に包み込むようにかけて使用、中央部分の垂れ部（３）が１０ｃｍ引き下げられているので自然に襟ぐりのだぶつきが解消され、又、垂れ部（３）の丈が十分あるので、１０ｃｍの引き下げでも睡眠中の動きによる隙間ができない。
【図面の簡単な説明】
【０００７】
【図１】本発明の斜視図
【符号の説明】
【０００８】  （１）襟カバー  （２）脇部  （３）垂れ部  （４）装着具凸  （５）掛布団カバー  （６）装着具凹
【図１】
2010029610.tif 000003
(57)【要約】      （修正有）【課題】主にスノーボード用ブーツを運搬保管管理の際に、伸縮素材によって出し入れを容易にし、使用後のブーツを覆う部位を必要最低限にすることにより軽量化、またブーツの換気乾燥効果を高め、運搬や保管の環境への汚れを防ぐとともに、肩掛けベルトにより持ち運びが容易でる。不使用時もコンパクトになる。便利なブーツキャリーカバーを提供する。【解決手段】必要最低限の伸縮性のある生地部Ａによって、スノーボード用ブーツを覆い、脱着可能なバックル及びベルトＢにて固定し，脱着可能な肩掛けベルトＣを設けた、ブーツ運搬保管管理の為のブーツキャリーカバーを特徴とする。【選択図】図２
2010029607.tif 000002
【特許請求の範囲】
【請求項１】
伸縮性のある生地部（Ａ）によって、スノーボード用ブーツの底、つま先部および踵の必要最低限部位を覆い、脱着可能なバックル及びベルト（Ｂ）にてブーツの左右足首を固定し，脱着可能な肩掛けベルト（Ｃ）を設けた、ブーツ運搬保管管理の為のブーツキャリーカバーを特徴とする。
【発明の詳細な説明】
【技術分野】
【０００１】  必要最低限の伸縮性のある生地部（Ａ）によって、スノーボード用ブーツを覆い、脱着可能なバックル及びベルト（Ｂ）にて固定し，脱着可能な肩掛けベルト（Ｃ）を設けた、ブーツ運搬保管管理の為のブーツキャリーカバーを特徴とする。
【背景技術】
【０００２】  従来、スノーボード用ブーツの運搬保管には、全てを覆った鞄のような形状のものであるか、ブーツ自体はだかでの管理であった。
【発明の開示】
【発明が解決しようとする課題】
【０００３】  これは次のような欠点があった。
従来、スノーボードブーツは鞄の中にいれるか、ブーツ自体はだかのまま運搬、保管することが多かった。鞄の中に入れる際は出し入れが面倒であったうえ使用後の保管環境としては、蒸れる上乾きにくく、運搬上かさばり場所を有するなどの問題がある。又、ブーツ自体はだかのままだと使用後の汚れが運搬や保管の環境を汚すなどの問題や、運搬上にて左右のブーツのバラつきにも困った。
【議題を解決するための手段】
【０００４】  必要最低限の伸縮性のある生地部（Ａ）によって、スノーボード用ブーツを覆い、脱着可能なバックル及びベルト（Ｂ）にて固定し，脱着可能な肩掛けベルト（Ｃ）を設ける。
本発明は、以上の構成よりなるブーツキャリーカバーである。
【発明の効果】
【０００５】  スノーボード用ブーツを伸縮性のある生地にて必要最低限部位を固定し覆うことにより、軽量化を図り、運搬保管管理の換気乾燥効果を高め、運搬や保管の環境への汚れを防ぎ、出し入れが容易である。一体バンドベルトにてさらに左右のブーツは固定され、ブーツの左右のバラツキも解消、肩掛けバンドによって持ち運びもできる。また不使用時もコンパクトにまとまり保管が容易である
単純な構造ながらも必要な機能を併せ持ったいるため、便利である。
【発明を実施するための最良の形態】
【０００６】  以下、本発明を実施するための最良の形態について説明する。
一対のスノーボード用ブーツにあわせた底部（２）、つま先部（１）と踵部（３）にて、ブーツの底、つま先部および踵を覆い包み込む形状伸縮素材をカットし立体縫製する。また、スノーボード用ブーツの足首にあわせ後方踵部（３）に固定用バンドベルト（７）を半周に縫い付け、ベルトの開放部にバックル（オス）（８）とバックル（メス）（９）を装着。固定用バンドベルト（７）と後方踵部位（３）のブーツ左右足首にあたる部位の両側面にリング（６）を縫い込み、肩掛けベルト（４）に装着されたフック（５）にて連結装着する。
本発明は以上のような構造である。
これを使用するときはスノーボード用ブーツをつま先側より被せ踵を入れ、ベルトを足首にまわし、バックルで締め、ベルトを肩にかけ持ち運ぶといい。
【図面の簡単な説明】
【０００７】
【図１】  本発明の斜視図である。
【図２】  本発明のブーツ装着時の斜視図である。
【符号の説明】
【０００８】  １      つま先部
２      底部
３      踵部
４      肩掛けベルト
５      フック
６      リング
７      固定用バンドベルト
８      バックル（オス）
９      バックル（メス）
Ａ      伸縮性のある生地部
Ｂ      脱着可能なバックル及びベルト
Ｃ      脱着可能な肩掛けベルト
【図１】
2010029607.tif 000003
【図２】
2010029607.tif 000004
(57)【要約】【課題】  介護補助に用いる従来の落足防止補助具は、足に圧迫感を与えてしまう物、筋力低下前提となっている物等がある。しかしながら、リハビリ段階に様子観察しながら筋力復帰を目指す通過地点として用いるような補助具、急性期を脱し回復期安定期のつなぎとして手軽に内容変更できるような落足防止補助具が欲しかった。【解決手段】  従来の形状とは異なり簡便であり、安価で簡単に取り付けでき、フットサポート範囲を広くする為に本体足元に丸みを設け、足が安定よく乗せられ移動しやすくした。リハビリにより筋力経過を見ながら段階的に補助具を取り外すことを目的で作り上げた。【選択図】図１
2010029608.tif 000002
【特許請求の範囲】
【請求項１】
フットプレートに輪ベルト及び座面位置に当たる箇所に締結ベルトを設け、簡単に取り付け可能にすることを特徴とする自走式車椅子用の落足防止補助具。
【請求項２】
車椅子フットサポート上の踵指示位置を本体で広げ、フットサポート端に接する位置に芯を入れることにより足元の指示位置を広く安定させ、足が前後に滑り落ちるのを回避することを特徴とする請求項１記載の落足防止補助具。
【請求項３】
足の甲にあたる補助ベルトは、カーブしていることを特徴とする請求項１及び請求項２記載落足防止補助具。
【発明の詳細な説明】
【技術分野】
【０００１】  この発明は、車椅子で自走可能な障害者のため、リハビリ段階における車椅子補助具に関する。
【背景技術】
【０００２】  従来の落足防止具は、車椅子に装備済みの物とフットサポートに固定する形状がある。
【特許文献１】特開２００６−２０４７０７  特開２０００−２９６１５５  実開２０００−００４７８０
【発明の開示】
【発明が解決しようとする課題】
【０００３】  しかしながら、以上の技術によれば自走者自身に装着する為圧迫感を与え動きづらいので、室内では開放感を求めて着脱されてしまうことが多い。フットサポート取替え式はコストがかかり筋力回復時には装備の必要性が薄くなる。自走者自身室内外どちらにおいても扱いやすく移動しやすい形状のデザインが欲しかった。しかしながら認知のある方はフットサポートから落足しても止まることをせずそのまま移動してしまう。このため骨折を回避することが出来、幅広い年代症状にも受け入れられるような、筋力低下時のリハビリ段階、安定期におけるサポート用品として提供できることを課題とする簡便な落足防止補助具が欲しかった。
【課題を解決するための手段】
【０００４】  第一発明は、安価で取り付け簡単な形状と利用者自身に装着するのではなく車椅子に装備することを特徴とする落足防止補助具である。【０００５】  請求項２に記載の第二発明によれば、踵を乗せる支持箇所を安定させる為フットサポート端に接する位置に芯を入れ足元を台状になるように丸みを設けたことを特徴とする落足防止補助具である。【０００６】  請求項３に記載の第三発明によれば、足の甲に止めるベルト形状をカーブ状にすることを特徴とする落足防止補助具である。
【発明の効果】
【０００７】  第一発明、第二発明によれば、落足防止補助具の本体部分を本形状とすることにより後方に隙間が出来にくくなり、足支持位置が広くなる為足をフットサポートに乗せやすく移動できる。【０００８】  第三発明によれば、足の甲に使用するベルトを設けたので、カーブの形状がより足にフィットし、ズレ防止効果が増す。不要時はフレームに巻き留めることも出来使いやすくした。
【発明を実施するための最良の形態】
【０００９】  この発明の一実施形態を、図１から図６に示す。
【実施形態の効果】
【００１０】  この実施形態によれば、車椅子本体に簡単に取り外しできる締結ベルトにより、足に圧迫感を与えず足元の踵支持点が安定し自走移動しやすい。今までこのような簡便な形状の補助具はなく装着したまま自走者のトランスができ、リハビリ側介護側が手間をかけることなくトランスの時間短縮を図ることにも着眼したものである。
【００１１】〔他の実施形態〕
図１の実施形態では、座面に落足防止補助具を取り付けた状態を示す。左右上下の座面取り付けベルト先に留め具をとめると留めやすくなる。
本発明の一実地形態を示す図である。図面では左用だが左右両用可能。
【図面の簡単な説明】
【００１２】
【図１】（Ａ）落足防止補助具を装備した車椅子の正面図  （Ｂ）落足防止補助具を装備した車椅子の後面図
【図２】落足防止補助具を装備した車椅子の側面図
【図３】落足防止補助具本体表面平面図
【図４】落足防止補助具本体裏面平面図
【図５】落足防止補助具本体図４の部分拡大図
【図６】落足防止補助具本体使用状態を正面から見た図
【符号の説明】
【００１３】  １  本体
２  座面取り付けベルト（本体座面シート上下左右ベルトで留める）
３  踵の当たる台状の支持位置（踵の領域を広くする為台状の形状とする）
４  フットサポート台取り付けベルト（フットサポート台に通す為先端輪）
５  本体芯挿入位置（足元支持位置を確保するため、フットサポート端に接する箇所に芯を入れ足元を安定させた。）
６  足の甲位置の本体補助ベルト（フットサポート台取り付けベルトに通し留め着けてあり、不要時フレームに巻き留めることも出来使いやすくした。）
７  足の甲にあたる補助ベルト（足の甲にフィットしたカーブの形状を示す）
８  留め具箇所（５組）
【図１】
2010029608.tif 000003
【図２】
2010029608.tif 000004
【図３】
2010029608.tif 000005
【図４】
2010029608.tif 000006
【図５】
2010029608.tif 000007
【図６】
2010029608.tif 000008
(57)【要約】      （修正有）【課題】衣類に針部先端を当て、カバーに形成された溝に沿って下部を左右にスライドさせるだけの一挙動で着脱が可能な、ワンタッチ安全ピンを提供する。【解決手段】プラスチック等のカバー内に安全ピンを収納し、下部を左右に移動できるようにカバーに溝を形成する。安全ピンの針部分はカバー上部に露出した状態で、下部を溝に沿って移動させると連動して左右に移動し、衣類への着脱が一挙動で可能となる。加えて、溝の左右末端には下方に向けて切れ込みを形成し、安全ピンのバネの作用で外側に開こうとする力を利用し、上部の針部分が開いた状態または閉じた状態でストッパー機能が働くようにする。【選択図】図１
2010029686.tif 000002
【特許請求の範囲】
【請求項１】
プラスチック等のカバー内に収納され、下部をカバーに形成された溝にて左右に移動させることで、上部のカバーから露出している針部分が連動して左右に移動するので衣類等への着脱が一挙動で可能であり、加えて同溝の左右末端に下方に向けて切れ込みを形成することにより、上部の針が開いている状態あるいは閉じている状態で固定できるワンタッチの安全ピン。
【発明の詳細な説明】
【技術分野】
【０００１】
本発明は、プラスチック等のカバー内に収納された安全ピンの下部を、カバーに形成された溝によって左右に移動させることで上部のカバーから露出している針部分も連動して左右に移動し、それによって衣類等への着脱が一挙動で可能なワンタッチ安全ピンである。加えて、同溝の左右末端に下方に向けて切れ込みを形成することにより、上部の針部分が開いている状態、または閉じている状態のいずれでも、安全ピンがバネの作用で外側に開こうとする力によって溝の切れ込みに収まることから、ストッパー機能が働いて固定される安全性も併せ持つ。          
【背景技術】
【０００２】
従来は、安全ピンを使用するには、衣類にピンの針部分を通した後、安全ピンのカバーに針部分を納める手間を要した。
【発明の開示】
【発明が解決しようとする課題】
【０００３】
衣類に針部先端を当て、下部をカバーの溝に沿ってスライドさせるだけで着脱可能な安全ピンである。
【課題を解決するための手段】
【０００４】
プラスチック等のカバー内に安全ピンを収納し、下部を左右に移動できるようにカバーに溝を形成する。安全ピンの針部分はカバー上部に露出した状態で、下部を溝に沿って移動させると連動して左右に移動し、衣類への着脱が一挙動で可能となる。加えて、溝の左右末端には下方に向けて切れ込みを形成し、安全ピンのバネの作用で外側に開こうとする力を利用し、上部の針部分が開いた状態または閉じた状態でストッパー機能が働くようにする。
【発明の効果】
【０００５】
取り付けたい衣類に針部先端を当て、溝に沿って下部をスライドさせるだけで着脱が可能であり、子供やお年寄りにも容易に使用が可能である。
【発明を実施するための最良の形態】
【０００６】
安全ピンの収納するカバーはプラスチックや合成樹脂等の安全ピンを保持できる耐性のあるものとし、安全ピンの針部分はカバー上部から露出させ、安全ピンの下部はカバーに形成した溝によって左右に移動できるようにする。また、同溝の左右末端には下方に向けて切れ込みを形成し、安全ピン下部が左右末端のいずれの位置においても同切れ込みに収納されることにより、上部の針部分が開いた状態または閉じた状態で固定可能とする。
【図面の簡単な説明】
【０００７】
【図１】本発明である安全ピンの図。        ａはカバー内に収納されている安全ピンであり、針部分が開いた状態である。ｂ                    は安全ピンを収納しているカバーである。ｃは安全ピン下部であり、上部の針部分が開いた状態においては、溝の右末端に下方向に形成された切り込みに収まって固定されている。        ａ`  はカバー内に収納されている安全ピンであり、針部分が閉じた状態である。ｃ`  は安全ピン下部であり、上部の針部分が閉じた状態においては、溝の左末端に下向きに形成された切り込みに収まって固定されている。
【図２】カバー内に収納されている安全ピンの形状を示す。
【図１】
2010029686.tif 000003
【図２】
2010029686.tif 000004
(57)【要約】【課題】  本発明は、甲殻類用の催卵組成物を提供することを目的とする。【解決手段】  本発明は、麹菌による大豆胚芽発酵物からなる甲殻類用催卵組成物に関するものである。【選択図】  なし【特許請求の範囲】
【請求項１】
麹菌による大豆胚芽発酵物からなる甲殻類用催卵組成物。
【発明の詳細な説明】
【技術分野】
【０００１】
本発明は、麹菌による大豆胚芽発酵物からなる甲殻類用催卵組成物に関する。
【背景技術】
【０００２】
カブトエビ（Ｔｒｉｏｐｓ）はミジンコ亜綱カブトエビ下綱カブトエビ目カブトエビ科に属する甲殻類である。別名「草取り虫」と呼ばれ、水耕期の稲田などに発生し水草などの雑草を駆除するため、有機農法を実践する農業従事者にとって非常に有益な小型甲殻類である。しかしながらカブトエビには鳥などの天敵が多く存在し、除草に充分な個体数を維持することが困難であった。そのため、より効率的な有機農法を実践するためにカブトエビの催卵を促し、繁殖力を向上させる組成物の開発が望まれていた。特許文献１および２に記載のような甲殻類の養殖法が知られているが、甲殻類の催卵を促すような組成物は知られていなかった。
【特許文献１】特開昭５８−１７５４５０号公報
【特許文献２】特開昭５８−１７５４５１号公報
【発明の開示】
【発明が解決しようとする課題】
【０００３】
本発明は、甲殻類用の催卵組成物を提供することを目的とする。
【課題を解決するための手段】
【０００４】
本発明は、麹菌による大豆胚芽発酵物からなる甲殻類用催卵組成物に関するものである。
【発明の効果】
【０００５】
本発明によれば、甲殻類用の催卵組成物を提供することが可能となる。
【発明を実施するための最良の形態】
【０００６】
以下、本発明の実施形態について説明する。なお、本発明は、下記実施形態の記載により限定して解釈するべきでなく、特許請求の範囲における記載の範囲内で種々の変更が可能である。
【０００７】
本発明で用いられる麹菌としては特段の制限はないが、発酵物の風味の良さなどから好ましくはＡｓｐｅｒｇｉｌｌｕｓ Ａｗａｍｏｒｉが用いられる。
【０００８】
本発明で用いられる大豆胚芽としては特段の制限はなく、常法により得られる大豆胚芽が用いられる。
【０００９】
本発明に用いられる発酵の方法としては特段の制限はなく、常法によるものであればよい。
【００１０】
本発明で用いられる大豆胚芽発酵物の製造方法としては特段の制限はないが、特許第３０１４１４５号に開示される製造法が好適に用いられる。
【００１１】
本発明の実施例で用いたカブトエビはアメリカカブトエビであり、雌雄同体の固体として知られている。
【実施例】
【００１２】
以下、本発明の実施例について説明する。なお、本発明は、下記の実施例に限定して解釈すべきではなく、特許請求の範囲における記載の範囲内で種々の変更が可能である。
【００１３】
（調製例：大豆胚芽発酵物の製造）
大豆胚芽９９．８５質量部に対し、水を３５質量部、酢酸（食品グレード）を１．１質量部添加し、１００℃で１５０分間蒸煮した。その後３０℃に保ち３時間放冷を行った。冷却後１．１質量部のＡｓｐｅｒｇｉｌｌｕｓ Ａｗａｍｏｒｉを播種し、３５℃で４８時間製麹を行った。その後７０℃で９０分乾燥を行い、蒸気殺菌し本発明の大豆胚芽発酵物を得た。
【００１４】
（実施例：催卵効果試験）
「エビ伝説」（日本動物薬品株式会社製）を用い、説明書に従いカブトエビを孵化させた。孵化した５匹のカブトエビに、付属の餌と調製例で作成した大豆胚芽発酵物を
混ぜた餌（付属餌：大豆胚芽発酵物＝３：１）を自由摂餌させ、死亡時までの産卵回数を計測した。結果を表１に示す。また、試験期間中は説明書に従い、適切な飼育管理を行った。
【００１５】
（比較例：寿命延長効果試験）
実施例１と同様にカブトエビを孵化させ、孵化した５匹のカブトエビに付属の餌を自由摂取させ、死亡時までの産卵回数を計測した。結果を表１に示す。
【００１６】
（表１）
2010029113.tif 000002
表１に示す結果の通り、大豆胚芽発酵物を混餌摂取させた実施例群は比較例群に比較して、死亡時までの産卵率が増加していた。
【産業上の利用可能性】
【００１７】
このことから、本発明の麹菌による大豆胚芽発酵物には甲殻類の産卵率を向上させるのに有効であり、本発明を用いることで優れた効率の有機農法を実践することが出来る。